【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
データを記憶するためのデータ記憶手段を備えるデータ記憶装置であって、
複数の信号線を含むバスを介して、前記データ記憶手段との間でデータの送受信を行うよう前記データ記憶手段の動作を制御する動作制御手段と、
前記データ記憶装置を省電力状態に移行させるべき条件が成立したかどうかを判定する判定手段と、
前記複数の信号線に基準電圧を供給する基準電圧供給手段と、を備え、
前記データ記憶装置を前記省電力状態に移行させるべき条件が成立したと前記判定手段が判定した場合、前記動作制御手段は、前記複数の信号線を介して送信される信号の状態を特定の信号状態に固定し、前記基準電圧供給手段は、前記基準電圧の供給を停止することを特徴とするデータ記憶装置。
【請求項２】
前記動作制御手段が前記複数の信号線を介して送信される信号の状態を前記特定の信号状態に固定した後に、前記基準電圧供給手段は、前記基準電圧の供給を停止することを特徴とする請求項１に記載のデータ記憶装置。
【請求項３】
前記判定手段は、前記データ記憶装置を前記省電力状態から復帰させるべき条件が成立したかどうかを判定し、
前記データ記憶装置を前記省電力状態から復帰させるべき条件が成立したと前記判定手段が判定した場合、前記基準電圧供給手段は、前記基準電圧の供給を再開するとともに、前記動作制御手段は、前記複数の信号線を介して送信される信号の状態の固定を解除させるように制御することを特徴とする請求項１又は２に記載のデータ記憶装置。
【請求項４】
前記基準電圧供給手段は、前記基準電圧の供給を再開させた後に、前記動作制御手段は、前記複数の信号線を介して送信される信号の状態の固定を解除させるように制御することを特徴とする請求項３に記載のデータ記憶装置。
【請求項５】
前記特定の信号状態は、前記動作制御手段が前記複数の信号線の前記基準電圧より電圧値の低いローレベル信号を出力する状態であることを特徴とする請求項１乃至４のいずれか１項に記載のデータ記憶装置。
【請求項６】
前記基準電圧供給手段は、前記データ記憶装置の終端抵抗を介して前記複数の信号線に前記基準電圧を供給することを特徴とする請求項１乃至５のいずれか１項に記載のデータ記憶装置。
【請求項７】
前記データ記憶手段はデータを保持するためのリフレッシュ動作を実行するＤＲＡＭであり、
前記データ記憶装置は、前記バスを介して前記ＤＲＡＭに前記リフレッシュ動作を実行させるための信号を送信する送信手段を有することを特徴とする請求項１乃至６のいずれか１項に記載のデータ記憶装置。
【請求項８】
前記ＤＲＡＭは、前記バスを介して送信される前記リフレッシュ動作を実行させるための信号に基づいて前記リフレッシュ動作を実行する第１のリフレッシュモードと、前記リフレッシュ動作を実行させるための信号を用いることなく前記リフレッシュ動作を実行する第２のリフレッシュモードのいずれか一方にて前記リフレッシュ動作を実行することを特徴とする請求項７に記載のデータ記憶装置。
【請求項９】
前記動作制御手段は、前記データ記憶装置を前記省電力状態に移行させるべき条件が成立したと前記判定手段が判定した場合、クロック供給信号線を介して前記データ記憶手段へ供給されるクロック信号を遮断するよう制御することを特徴とする請求項１乃至８のいずれか１項に記載のデータ記憶装置。
【請求項１０】
データを記憶するためのデータ記憶手段と、複数の信号線を含むバスを介して前記データ記憶手段との間でデータの送受信を行うよう前記データ記憶手段の動作を制御する動作制御手段と、前記複数の信号線に基準電圧を供給する基準電圧供給手段と、を有するデータ記憶装置の制御方法であって、
前記データ記憶装置を省電力状態に移行させるべき条件が成立したかどうかを判定する判定ステップと、
前記データ記憶装置を前記省電力状態に移行させるべき条件が成立したと前記判定ステップにて判定された場合、前記動作制御手段が前記複数の信号線を介して送信される信号の状態を特定の信号状態に固定させると共に、前記基準電圧供給手段が前記基準電圧の供給を停止する、停止ステップと、
を有することを特徴とするデータ記憶装置の制御方法。
【請求項１１】
前記データ記憶装置を前記省電力状態に移行させるべき条件が成立したと前記判定ステップにて判定された場合、前記動作制御手段が前記複数の信号線を介して送信される信号の状態を前記特定の信号状態に固定させた後に、前記基準電圧供給手段は、前記基準電圧の供給を停止することを特徴とする請求項１０に記載のデータ記憶装置の制御方法。
【請求項１２】
データを記憶するためのデータ記憶手段と、
複数の信号線を含むバスを介して、前記データ記憶手段との間でデータの送受信を行うよう前記データ記憶手段の動作を制御する動作制御手段と、
データ記憶装置を省電力状態に移行させるべき条件が成立したかどうかを判定する判定手段と、
前記複数の信号線に基準電圧を供給する基準電圧供給手段と、を備え、
前記データ記憶装置を前記省電力状態に移行させるべき条件が成立したと前記判定手段が判定した場合、前記基準電圧供給手段は、前記基準電圧の供給を停止すると共に、前記動作制御手段は、前記複数の信号線の中の第１信号線を介して送信される信号の状態が前記複数の信号線の中の第２信号線を介して送信される信号の状態と同じになるように、前記第１信号線を介して送信される信号の状態を変化させることを特徴とするデータ記憶装置。
【請求項１３】
データを記憶するためのデータ記憶手段と、複数の信号線を含むバスを介して、前記データ記憶手段との間でデータの送受信を行うよう前記データ記憶手段の動作を制御する動作制御手段と、前記複数の信号線に基準電圧を供給する基準電圧供給手段と、を備えたデータ記憶装置の制御方法であって、
前記データ記憶装置を省電力状態に移行させるべき条件が成立したかどうかを判定する判定ステップと、
前記データ記憶装置を前記省電力状態に移行させるべき条件が成立したと前記判定ステップにて判定された場合、前記基準電圧供給手段は、前記基準電圧の供給を停止すると共に、前記動作制御手段は、前記複数の信号線の中の第１信号線を介して送信される信号の状態が前記複数の信号線の中の第２信号線を介して送信される信号の状態と同じになるように、前記第１信号線に出力される信号の状態を変化させるステップと、を備えることを特徴とするデータ記憶装置の制御方法。
【請求項１４】
データを記憶するためのデータ記憶手段と、
複数の信号線を含むバスを介して、前記データ記憶手段に信号を送信する送信手段と、
データ記憶装置を省電力状態に移行させるべき条件が成立したかどうかを判定する判定手段と、
前記複数の信号線に基準電圧を供給する基準電圧供給手段と、を備え、
前記データ記憶装置を前記省電力状態に移行させるべき条件が成立したと前記判定手段が判定した場合、前記送信手段は、前記複数の信号線を介して前記データ記憶手段に送信される信号の状態を特定の信号状態にすると共に、前記基準電圧供給手段は、前記基準電圧の供給を停止する、ことを特徴とするデータ記憶装置。
【手続補正２】
【補正対象書類名】明細書
【補正対象項目名】０００９
【補正方法】変更
【補正の内容】
【０００９】
本発明は、データを記憶するためのデータ記憶手段を備えるデータ記憶装置であって、複数の信号線を含むバスを介して、前記データ記憶手段との間でデータの送受信を行うよう前記データ記憶手段の動作を制御する動作制御手段と、前記データ記憶装置を省電力状態に移行させるべき条件が成立したかどうかを判定する判定手段と、前記複数の信号線に基準電圧を供給する基準電圧供給手段と、を備え、前記データ記憶装置を前記省電力状態に移行させるべき条件が成立したと前記判定手段が判定した場合、前記動作制御手段は、前記複数の信号線を介して送信される信号の状態を特定の信号状態に固定し、前記基準電圧供給手段は、前記基準電圧の供給を停止することを特徴とする。